【手続補正書】
【提出日】平成24年5月15日(2012.5.15)
【手続補正１】
【補正対象書類名】特許請求の範囲
【補正対象項目名】全文
【補正方法】変更
【補正の内容】
【特許請求の範囲】
【請求項１】
電子文書に含まれる複数の文書要素の属性値に基づいて決定された基準となる属性値と前記文書要素について指定された属性値との間の類似度合いを示す類似度を計算する類似度計算手段と、
前記複数の文書要素について指定された属性値のうち、予め定められた第１の条件を満たす文書要素属性値を意図的に指定された属性値と判断し、予め定められた第２の条件を満たす文書要素属性値を非意図的に指定された属性値と判断する意図性判断手段とを備えた文書デザイン修正装置。
【請求項２】
電子文書に含まれる複数の文書要素についてそれぞれ指定された出力形態に関する属性に関し基準となる属性値を決定する基準属性値決定手段と、
前記基準となる属性値と前記文書要素について指定された属性値との間の類似度合いを示す類似度を計算する類似度計算手段と、
前記複数の文書要素について指定された属性値のうち、以下の（条件１）および（条件２）を満たす文書要素属性値を意図的に指定された属性値と判断し、以下の（条件１）を満たし（条件２）を満たさない文書要素属性値を非意図的に指定された属性値と判断する意図性判断手段とを備えた文書デザイン修正装置。
（条件１）その属性値が前記基準属性値決定手段により決定された前記基準となる属性値と同一でない。
（条件２）前記類似度計算手段で計算された類似度が予め定められた度合い以下である。
【請求項３】
さらに、前記意図性判断手段により非意図的に指定されたと判断された属性値を、前記基準となる属性値と当該属性値との間の類似度合いを示す類似度がさらに小さくなるように変更する変更手段を備えた請求項１又は２に記載の文書デザイン修正装置。
【請求項４】
さらに、前記意図性判断手段により非意図的に指定されたと判断された属性値を、前記基準となる属性値と同じ属性値に変更する変更手段を備えた請求項１又は２に記載の文書デザイン修正装置。
【請求項５】
さらに、前記意図性判断手段により意図的に指定されたと判断された属性値を、前記基準となる属性値と当該属性値との間の類似度合いを示す類似度がさらに小さくなるように変更する変更手段を備えた請求項１又は２に記載の文書デザイン修正装置。
【請求項６】
前記意図性判断手段は、前記複数の文書要素について指定された属性値のうち、前記（条件１）を満たし、かつ前記（条件２）または以下の（条件３）を満たす文書要素属性値を意図的に指定された属性値と判断し、前記（条件１）を満たし前記（条件２）および以下の（条件３）をともに満たさない文書要素属性値を非意図的に指定された属性値と判断する請求項２に記載の文書デザイン修正装置。
（条件３）前記複数の文書要素のうち、判断対象の属性値と同一の属性値が指定された文書要素の総数または割合数が予め定められた度合い以上である。
【請求項７】
前記複数の文書要素の各々は、前記出力形態に関する属性値がそれぞれ指定された複数の属性項目を有し、
前記基準属値決定手段および類似度計算手段は、前記複数の文書要素の各々が有する前記複数の属性項目毎に基準となる属性値を決定して類似度を算出し、
前記意図性判断手段は、前記（条件１）を満たし、かつ前記（条件２）または以下の（条件４）を満たす文書要素属性値を意図的に指定された属性値と判断し、前記（条件１）を満たし前記（条件２）および以下の（条件４）をともに満たさない文書要素属性値を非意図的に指定された属性値と判断する請求項２に記載の文書デザイン修正装置。
（条件４）判断対象の属性値が指定された文書要素に関し、以下の（条件４−１）および（条件４−２）を満たす属性項目の総数又は割合数が予め定められた度合い以上である、または予め定められた度合いよりも大きい。
（条件４−１）前記基準属性値決定手段により決定された前記基準となる属性値と同一でない。
（条件４−２）前記類似度計算手段で計算された類似度が予め定められた度合いよりも大きい。
【請求項８】
前記意図性判断手段は、前記複数の文書要素について指定された属性値のうち、前記（条件１）を満たし、かつ前記（条件２）または以下の（条件５）を満たす文書要素属性値を意図的に指定された属性値と判断し、前記（条件１）を満たし前記（条件２）および以下の（条件５）をともに満たさない文書要素属性値を非意図的に指定された属性値と判断する請求項２に記載の文書デザイン修正装置。
（条件５）判断対象の属性値が指定された文書要素が、単語全体のみを含む文字列である。
【請求項９】
前記意図性判断手段は、前記複数の文書要素について指定された属性値のうち、前記（条件１）を満たし、前記（条件２）または以下の（条件６）を満たす文書要素属性値を意図的に指定された属性値と判断し、前記（条件１）を満たし前記（条件２）および以下の（条件６）をともに満たさない文書要素属性値を非意図的に指定された属性値と判断する請求項２に記載の文書デザイン修正装置。
（条件６）電子文書に含まれる文書要素のうち、判断対象の属性値と同一の属性値が指定された文書要素の総数または割合数が予め定められた度合い以下である。
【請求項１０】
前記基準属性値決定手段は、前記複数の文書要素についてそれぞれ指定された前記属性値のうち、最頻の属性値を前記基準となる属性値として決定する請求項１又は２に記載の文書デザイン修正装置。
【請求項１１】
前記基準属性値決定手段は、前記複数の文書要素についてそれぞれ指定された前記属性値のうち、特定の位置に位置する文書要素の属性値を前記基準となる属性値として決定する請求項１又は２に記載の文書デザイン修正装置。
【請求項１２】
電子文書に含まれる複数の文書要素の属性値に基づいて決定された基準となる属性値と前記文書要素について指定された属性値との間の類似度合いを示す類似度を計算する類似度計算ステップと、
前記複数の文書要素について指定された属性値のうち、予め定められた第１の条件を満たす文書要素属性値を意図的に指定された属性値と判断し、予め定められた第２の条件を満たす文書要素属性値を非意図的に指定された属性値と判断する意図性判断ステップとを備えた文書デザイン修正プログラム。
【手続補正２】
【補正対象書類名】明細書
【補正対象項目名】０００７
【補正方法】変更
【補正の内容】
【０００７】
［１］電子文書に含まれる複数の文書要素の属性値に基づいて決定された基準となる属性値と前記文書要素について指定された属性値との間の類似度合いを示す類似度を計算する類似度計算手段と、
前記複数の文書要素について指定された属性値のうち、予め定められた第１の条件を満たす文書要素属性値を意図的に指定された属性値と判断し、予め定められた第２の条件を満たす文書要素属性値を非意図的に指定された属性値と判断する意図性判断手段とを備えた文書デザイン修正装置。
【手続補正３】
【補正対象書類名】明細書
【補正対象項目名】００１８
【補正方法】変更
【補正の内容】
【００１８】
［１２］電子文書に含まれる複数の文書要素の属性値に基づいて決定された基準となる属性値と前記文書要素について指定された属性値との間の類似度合いを示す類似度を計算する類似度計算ステップと、前記複数の文書要素について指定された属性値のうち、予め定められた第１の条件を満たす文書要素属性値を意図的に指定された属性値と判断し、予め定められた第２の条件を満たす文書要素属性値を非意図的に指定された属性値と判断する意図性判断ステップとを備えた文書デザイン修正プログラム。